(57)【要約】【課題】消費電力が大きく、起動に時間を要する記録媒体を使用した場合であっても、低消費電力化および操作性の向上を図ることができる撮像装置を提供する。【解決手段】この撮像装置は、記録媒体の省電力モードの動作として給電を停止する。そして撮影操作、表示操作に応じて記録媒体への給電を開始し、記録、読み出しを行う。また、表示が継続されている間は、記録媒体への給電を維持して、記録の終了、表示の終了に合わせて記録媒体への給電を停止する。【選択図】図２
2008204546.tif 000002
【特許請求の範囲】
【請求項１】
レリーズボタンの第１ストロークで撮影準備動作を開始し、前記レリーズボタンの第２ストロークで撮影動作を実行し、生成した画像データを接続された記録媒体に記録する撮像装置であって、
前記記録媒体に電力を供給する供給手段と、
前記レリーズボタンの第１ストロークがオンされたことに連動して、前記記録媒体への電力の供給を開始するように前記供給手段を制御する制御手段とを有することを特徴とする撮像装置。
【請求項２】
前記記録媒体に記録された画像を再生する再生ボタンを有し、前記制御手段は前記再生ボタンがオンされたことに連動して前記記録媒体への電力の供給を開始するように前記供給手段を制御する請求項１に記載の撮像装置。
【請求項３】
前記撮像装置の設定を行うメニューボタンを有し、前記制御手段は前記メニューボタンがオンされたことに連動して前記記録媒体への電力の供給を開始するように前記供給手段を制御する請求項１または２に記載の撮像装置。
【請求項４】
前記記録媒体がハードディスクであるかどうかを判別する判別手段を有し、前記判別手段によって前記記録媒体がハードディスクであると判別される場合に、前記制御手段によって前記供給手段を制御することを特徴とする請求項１ないし３のいずれかに記載の撮像装置。
【請求項５】
レリーズボタンの第１ストロークで撮影準備動作を開始し、前記レリーズボタンの第２ストロークで撮影動作を実行し、生成した画像データを接続された記録媒体に記録する撮像装置であって、
前記記録媒体に前記画像データの記録が可能な通常の動作状態または前記記録媒体に前記画像データの記録ができない省電力の動作状態に前記記録媒体の動作状態を切り換える切り換え手段と、
前記レリーズボタンの第１ストロークがオンされたことに連動して、前記省電力の動作状態から前記通常の動作状態に切り換えるように前記切り換え手段を制御する制御手段とを有することを特徴とする撮像装置。
【請求項６】
前記記録媒体に記録された画像を再生する再生ボタンを有し、前記制御手段は前記ボタンがオンされたことに連動して前記省電力の動作状態から前記通常の動作状態に前記記録媒体の動作状態を切り換えるように前記切り換え手段を制御する請求項５に記載の撮像装置。
【請求項７】
前記撮像装置の設定を行うメニューボタンを有し、前記制御手段は前記メニューボタンがオンされたことに連動して前記省電力の動作状態から前記通常の動作状態に前記記録媒体の動作状態を切り換えるように前記切り換え手段を制御する請求項５または６に記載の撮像装置。
【請求項８】
記録媒体に記録された画像データまたは撮像装置の設定画面を表示する表示部を有する撮像装置であって、
前記記録媒体に前記画像データの記録が可能な通常の動作状態または前記記録媒体に前記画像データの記録ができない省電力の動作状態に前記記録媒体の動作状態を切り換える切り換え手段と、
前記表示部に前記画像データまたは前記設定画面が表示されているときには、前記通常の動作状態から前記省電力の動作状態に切り換らないように前記切り換え手段を制御する制御手段とを有することを特徴とする撮像装置。
【請求項９】
前記記録媒体はハードディスクであり、前記省電力の動作状態は、前記ハードディスクの回転を停止する動作状態であることを特徴とする請求項４ないし７のいずれかに記載の撮像装置。
【請求項１０】
記録媒体に電力を供給する供給手段を有し、レリーズボタンの第１ストロークで撮影準備動作を開始し、前記レリーズボタンの第２ストロークで撮影動作を実行し、生成した画像データを接続された前記記録媒体に記録する撮像装置の制御方法であって、
前記レリーズボタンの第１ストロークがオンされたことに連動して、前記記録媒体への電力の供給を開始するように前記供給手段を制御する制御ステップとを有することを特徴とする撮像装置の制御方法。
【請求項１１】
記録媒体に前記画像データの記録が可能な通常の動作状態または前記記録媒体に前記画像データの記録ができない省電力の動作状態に前記記録媒体の動作状態を切り換える切り換え手段を有し、レリーズボタンの第１ストロークで撮影準備動作を開始し、前記レリーズボタンの第２ストロークで撮影動作を実行し、生成した画像データを接続された前記記録媒体に記録する撮像装置の制御方法であって、
前記レリーズボタンの第１ストロークがオンされたことに連動して、前記省電力の動作状態から前記通常の動作状態に切り換えるように前記切り換え手段を制御する制御ステップとを有することを特徴とする撮像装置の制御方法。
【請求項１２】
記録媒体に前記画像データの記録が可能な通常の動作状態または前記記録媒体に前記画像データの記録ができない省電力の動作状態に前記記録媒体の動作状態を切り換える切り換え手段を有し、前記記録媒体に記録された画像データまたは撮像装置の設定画面を表示する表示部を有する撮像装置の制御方法であって、
前記表示部に前記画像データまたは前記設定画面が表示されているときには、前記通常の動作状態から前記省電力の動作状態に切り換らないように前記切り換え手段を制御する制御ステップとを有することを特徴とする撮像装置の制御方法。
【発明の詳細な説明】
【技術分野】
【０００１】
本発明は、デジタルカメラなどの撮像装置、撮像装置の制御方法、およびプログラムに関し、特に交換可能な記録媒体にデータを記録する撮像装置、撮像装置の制御方法およびプログラムに関する。
【背景技術】
【０００２】
デジタルカメラ等では、撮影によって得られた画像データを記録するために、数百Ｂ〜数ＧＢ程度の容量の半導体メモリを記録媒体とする小型のメモリカードが用いられている。メモリカードは、カメラ本体に設けられたメモリカードスロットに挿入した状態で、撮影によって得られた画像データが記録される。しかし、１枚のメモリカードに記録できる画像データの容量は限られており、撮像素子の高画素化による記録画像データの大容量化に伴い、より大容量の記録媒体が求められている。
【０００３】
一方、半導体メモリに対して、より大容量でコスト低減が可能な記録媒体として、磁気ディスクを記録媒体としたＨＤＤ（ハードディスクドライブ）が用いられている。そこで、デジタルカメラについても、記録媒体としてＨＤＤをＵＳＢ等を介して外部接続して使用することが提案されている（特許文献１）。
【特許文献１】特開２００１−２３８１１２号公報
【発明の開示】
【発明が解決しようとする課題】
【０００４】
しかし、デジタルカメラ等の携帯機器がＵＳＢのホストマシンとなり、該ホストマシンにＨＤＤ等の周辺機器が接続される場合には、携帯機器と周辺機器とで構成されるシステム全体の電源管理を考慮する必要がある。例えば、積極的に周辺機器への電源供給を停止するなどして低消費電力化を行う省電力モードが必要である。
【０００５】
ＵＳＢ接続の周辺機器では、電源が供給されてから動作可能になるまでに数秒以上要するものが存在する。また、ＨＤＤは、内蔵されている磁気ディスクが回転し始めてから実際の読み書きができるまでに数秒以上要する。
【０００６】
従って、ＨＤＤをデジタルカメラの記録媒体として使用した場合は、撮影が行われたとき、あるいは、画像データの再生を行うとき等において、画像データの記録タイミングや再生タイミングに悪影響を与えかねない。デジタルカメラのように速いレスポンスが要求される携帯機器においては、省電力モード状態から使用可能となるまでの時間が性能を大きく左右する。
【０００７】
そこで、本発明は、消費電力が大きく、起動に時間を要する記録媒体を使用した場合であっても、低消費電力化および操作性の向上を図ることができる撮像装置、撮像装置の制御方法およびプログラムを提供することを目的とする。
【課題を解決するための手段】
【０００８】
上記目的を達成するために、本発明の撮像装置は、レリーズボタンの第１ストロークで撮影準備動作を開始し、前記レリーズボタンの第２ストロークで撮影動作を実行し、生成した画像データを接続された記録媒体に記録する撮像装置であって、前記記録媒体に電力を供給する供給手段と、前記レリーズボタンの第１ストロークがオンされたことに連動して、前記記録媒体への電力の供給を開始するように前記供給手段を制御する制御手段とを有することを特徴とする。
【０００９】
本発明の撮像装置は、レリーズボタンの第１ストロークで撮影準備動作を開始し、前記レリーズボタンの第２ストロークで撮影動作を実行し、生成した画像データを接続された記録媒体に記録する撮像装置であって、前記記録媒体に前記画像データの記録が可能な通常の動作状態または前記記録媒体に前記画像データの記録ができない省電力の動作状態に前記記録媒体の動作状態を切り換える切り換え手段と、前記レリーズボタンの第１ストロークがオンされたことに連動して、前記省電力の動作状態から前記通常の動作状態に切り換えるように前記切り換え手段を制御する制御手段とを有することを特徴とする。
【００１０】
本発明の撮像装置は、記録媒体に記録された画像データまたは撮像装置の設定画面を表示する表示部を有する撮像装置であって、前記記録媒体に前記画像データの記録が可能な通常の動作状態または前記記録媒体に前記画像データの記録ができない省電力の動作状態に前記記録媒体の動作状態を切り換える切り換え手段と、前記表示部に前記画像データまたは前記設定画面が表示されているときには、前記通常の動作状態から前記省電力の動作状態に切り換らないように前記切り換え手段を制御する制御手段とを有することを特徴とする。
【００１１】
本発明の撮像装置の制御方法は、記録媒体に電力を供給する供給手段を有し、レリーズボタンの第１ストロークで撮影準備動作を開始し、前記レリーズボタンの第２ストロークで撮影動作を実行し、生成した画像データを接続された前記記録媒体に記録する撮像装置の制御方法であって、前記レリーズボタンの第１ストロークがオンされたことに連動して、前記記録媒体への電力の供給を開始するように前記供給手段を制御する制御ステップとを有することを特徴とする。
【００１２】
本発明の撮像装置の制御方法は、記録媒体に前記画像データの記録が可能な通常の動作状態または前記記録媒体に前記画像データの記録ができない省電力の動作状態に前記記録媒体の動作状態を切り換える切り換え手段を有し、レリーズボタンの第１ストロークで撮影準備動作を開始し、前記レリーズボタンの第２ストロークで撮影動作を実行し、生成した画像データを接続された前記記録媒体に記録する撮像装置の制御方法であって、前記レリーズボタンの第１ストロークがオンされたことに連動して、前記省電力の動作状態から前記通常の動作状態に切り換えるように前記切り換え手段を制御する制御ステップとを有することを特徴とする。
【００１３】
本発明の撮像装置の制御方法は、記録媒体に前記画像データの記録が可能な通常の動作状態または前記記録媒体に前記画像データの記録ができない省電力の動作状態に前記記録媒体の動作状態を切り換える切り換え手段を有し、前記記録媒体に記録された画像データまたは撮像装置の設定画面を表示する表示部を有する撮像装置の制御方法であって、前記表示部に前記画像データまたは前記設定画面が表示されているときには、前記通常の動作状態から前記省電力の動作状態に切り換らないように前記切り換え手段を制御する制御ステップとを有することを特徴とする。
【発明の効果】
【００１４】
本発明によれば、撮像装置に装着される記録媒体に対して省電力モードを適切に制御することで、消費電力が大きく、起動に時間を要する記録媒体を使用した場合であっても、低消費電力化および操作性の向上を図ることができる。
【発明を実施するための最良の形態】
【００１５】
以下、本発明の実施の形態を図を参照して説明する。
【００１６】
（第１の実施形態）
まず、図１〜図６を参照して、本発明の第１の実施形態であるデジタルカメラについて説明する。図１は、本発明の第１の実施形態であるレンズ交換式デジタルカメラの機能ブロック図である。
【００１７】
図１に示すように、デジタルカメラ（撮像装置）１００は、複数のレンズ群で構成される交換可能な撮影レンズユニット１０１を備える。
【００１８】
撮影レンズユニット１０１は、マイクロコンピュータ１２７と通信して、レンズ制御回路１０１ａを制御することにより、不図示のフォーカシングレンズを変移させて焦点を合わせる。このときの変移量は、測距回路１１７の出力に基づき演算される。また、撮影レンズユニット１０１には、光学的な絞り値を変化させる絞り制御回路１０１ｂが設けられている。
【００１９】
クイックリターンミラー１０２は、撮影光路中に配置され、撮影レンズからの被写体光をファインダ光学系（不図示）に導く位置と撮影光路外に退避する位置との間で移動可能である。クイックリターンミラー１０２の後方には、シャッタ１０３、防塵ガラスで覆われた光学フィルタ１０４、光学像を電気信号に変換する撮像素子１０５が配置されている。撮像素子１０５のアナログ信号出力は、Ａ／Ｄ変換器１０６によりディジタル信号に変換される。
【００２０】
タイミング発生回路１０８は、撮像素子１０５、Ａ／Ｄ変換器１０６に対してクロック信号や制御信号を供給する。タイミング発生回路１０８は、メモリ制御回路１１１及びマイクロコンピュータ１２７により制御される。
【００２１】
画像処理回路１０７は、Ａ／Ｄ変換器１０６からのデータ、あるいはメモリ制御回路１１１からの画像データに対して、画像データに付加されている処理データに基づき、所定の画素補間処理や現像処理などを行う。メモリ制御回路１１１は、Ａ／Ｄ変換器１０６、画像処理回路１０７、タイミング発生回路１０８、画像表示メモリ１１２、メモリ１１３、圧縮伸長回路１１４を制御する。
【００２２】
Ａ／Ｄ変換器１０６のデータは、画像処理回路１０７、メモリ制御回路１１１を介して画像表示メモリ１１２あるいはメモリ１１３に書き込まれる。画像表示メモリ１１２に書き込まれた表示用の画像データは画像表示回路１０９により液晶表示器等からなる表示部１１０に表示される。また、表示部１１０には、デジタルカメラ１００の各種設定メニュー項目の表示もされる。
【００２３】
メモリ１１３は、撮影した非圧縮の画像データを一時格納するイメージバッファの領域として使用される。また、メモリ１１３は、画像処理回路１０７にて画像データを現像処理する際に使用する処理データやＡＦ／ＡＥ／ＡＷＢの演算結果の保持やその他一時的に使用するデータを記憶するワークバッファの領域として使用される。さらに、メモリ１１３は、圧縮・伸長回路１１４で圧縮された圧縮画像データを格納するファイルバッファの領域として使用される。メモリ１１３は、所定枚数の静止画像や所定時間の動画像を格納するのに十分な記憶容量を備えている。これにより、複数枚の静止画像を連続して撮影する連写撮影の場合であっても、該メモリ１１３に対して高速かつ大量の画像書き込みを行うことが可能となる。
【００２４】
圧縮伸長回路１１４は適応離散コサイン変換（ＡＤＣＴ）等により画像データをＪＰＥＧデータとして圧縮伸長する回路であり、メモリ１１３に格納された画像データを読み込んで圧縮処理あるいは伸長処理を行い、処理を終えたデータをメモリ１１３に書き込む。シャッタ制御回路１１５はシャッタ１０３を制御し、ミラー制御回路１１６はクイックリターンミラー１０２を撮影光路内外に駆動制御し、測距回路１１７はその出力に基づき、撮影レンズユニット１０１のフォーカシングレンズを制御する。測光回路１１８は、被写体の輝度を測定しその出力により露出を制御する。
【００２５】
不揮発性メモリ１１９には、撮像処理を行うプログラム、画像処理を行うプログラム、記録媒体２００に作成された画像ファイルデータを記録媒体２００に記録するプログラムなどの各種プログラムが格納されている。また、不揮発性メモリ１１９には、上記プログラムのマルチタスク構成を実現し実行するＯＳなどの各種プログラム、及び各種制御を行うための調整値などが記録されている。
【００２６】
レリーズスイッチ１２０は、レリーズボタンの半押しでオン（ＳＷ１）となり（第１ストローク）、ＡＦ（オートフォーカス）処理、ＡＥ（自動露出）処理等の撮影準備動作開始を指示する。また、レリーズスイッチ１２０は、レリーズボタンの全押しでオン（ＳＷ２）となり（第２ストローク）、撮像処理、ホワイトバランス補正処理、現像処理および記録処理の一連の処理の動作開始を指示する。撮像処理は、撮像素子１０５から読み出した信号をＡ／Ｄ変換器１０６、メモリ制御回路１１１を介してメモリ１１３に画像データを書き込む。ホワイトバランス補正処理は、画像処理回路１０７を用いて画像データに対して設定されているホワイトバランスモードに応じてホワイトバランスを補正する。記録処理は、メモリ１１３から現像された画像データを読み出し、圧縮伸長回路１１４で圧縮を行い、記録媒体２００に画像データを書き込む。
【００２７】
メニュー操作スイッチ１２１は、不図示の再生キー（再生ボタン）、メニューキー（メニューボタン）、セットキー、十字キーの組み合わせで構成される。メニュー操作スイッチ１２１は、再生キーの操作により記録媒体２００に記録された画像データの表示部１１０への再生を指示するスイッチである。また、メニュー操作スイッチ１２１は、メニューキーの操作により撮影条件や現像条件などの各種設定の変更や、記録媒体２００の省電力モードの選択などの各種操作の設定メニュー項目を表示部１１０に表示する（設定画面）スイッチである。さらに、メニュー操作スイッチ１２１は、セットキー、十字キーの操作で所望の設定を画面表示を見ながら選択・設定を指示することができる。
【００２８】
電源制御回路１２２は、電池検出回路、ＤＣ−ＤＣコンバータ、通電するブロックを切り換えるスイッチ回路等により構成される。電源制御回路１２２は、電池の装着の有無、電池の種類、電池残量を検出し、検出結果及びマイクロコンピュータ１２７の指示に基づいてＤＣ−ＤＣコンバータを制御し、必要な電圧を必要な期間、記録媒体２００を含む各部へ供給する。
【００２９】
コネクタ１２４には、記録媒体２００が接続され、コネクタ１２４に接続された記録媒体２００は制御部１２３により制御される。制御部１２３は、デジタルカメラ１００にＵＳＢのホストマシン機能を実現させるためのホストコントローラから構成される。
【００３０】
なお、本実施形態では、記録媒体２００に対して、制御部１２３及びコネクタ１２４を１系統としているが、制御部１２３及びコネクタ１２４を複数の系統としてもよく、また、異なる規格の制御部１２３及びコネクタ１２４を組み合わせてもよい。
【００３１】
ここで、本実施形態では、記録媒体２００として、例えば、ＨＤＤを用い、また、記録媒体２００は、デジタルカメラ１００に外部接続し、接続形態としてＵＳＢ接続を使用する場合を例に採る。
【００３２】
記録媒体２００は、磁気ディスクから構成される記録媒体部２０３、デジタルカメラ１００とのインタフェースであり、記録媒体部２０３を制御する制御部２０２、デジタルカメラ１００側のコネクタ１２４と接続を行うコネクタ２０１を備えている。
【００３３】
制御部２０２は、記録媒体２００にＵＳＢ接続デバイスの機能を実現させるためのデバイスコントローラを有する。
【００３４】
本実施形態では、記録媒体２００側のコネクタ２０１及びデジタルカメラ１００側のコネクタ１２４は、共にＵＳＢケーブル（不図示）が接続可能なコネクタとして構成され、コネクタ２０１とコネクタ１２４とはＵＳＢケーブルを介して接続される。また、デジタルカメラ１００側の制御部１２３は記録媒体２００側の制御部２０２とＵＳＢケーブルを介して通信可能とされ、また、記録媒体２００に給電することが可能となっている。
【００３５】
次に、図２〜図６を参照して、上記構成のデジタルカメラ１００の動作例について説明する。ここで、図２〜図６の各処理は、所定の記憶領域（ＲＯＭやハードディスク等）に格納された処理プログラムがＲＡＭにロードされて、マイクロコンピュータ１２７のＣＰＵにより実行される。
【００３６】
（メインシーケンス）
図２は、デジタルカメラ１００の動作のメインシーケンスを説明するためのフローチャート図である。図２では、特に撮影から記録、表示処理までの一連の処理と、記録媒体２００の省電力モードのシーケンスについて説明する。なお、記録媒体２００への給電がされている状態を通常モードと呼ぶ。また、図２での各処理は、マルチタスク構成で処理される。
【００３７】
まず、ステップＳ２０１では、レリーズスイッチ１２０の半押しでオンとなるＳＷ１が操作され、撮影動作開始が指示されたか否かの判断を行う。そして、ＳＷ１が操作されなければ、ステップＳ２０２に進む。ステップＳ２０２では、メニュー操作スイッチ１２１が操作され、表示部１１０への表示が指示されているか否かを判断し、メニュー操作スイッチ１２１が操作されなければ、ステップＳ２０３に進む。
【００３８】
ステップＳ２０３では、省電力タイマが所定時間経過しているか否かの判断を行う。ここで、省電力タイマは、デジタルカメラ１００に対して、レリーズスイッチ１２０による撮影指示や、メニュー操作スイッチ１２１などによる表示指示がされず、記録媒体２００へのアクセスがない状態での経過時間を計測する。
【００３９】
ステップＳ２０３で、省電力タイマが所定時間経過に満たないと判断した場合には、ステップＳ２０１からのシーケンスが繰り返されることとなる。一方、ステップＳ２０３で、省電力タイマが所定時間経過した場合には、ステップＳ２０４に進み、記録媒体２００を省電力モードとする。なお、記録媒体２００がすでに省電力モードになっている場合は、省電力モードを維持する。省電力モードにおいては、記録媒体２００への給電を停止し、記録媒体２００の動作が停止する。
【００４０】
なお、本実施形態では、この記録媒体２００の省電力モードは、デジタルカメラ１００の省電力モードとは独立して動作可能である。即ち、デジタルカメラ１００が使用されている状態であっても、記録媒体２００のみが省電力モードとなることが可能で、効果的にシステム全体の消費電力を減少させている。
【００４１】
次に、ステップＳ２０１で、レリーズスイッチ１２０の半押しでオンとなるＳＷ１が操作されて、撮影動作開始が指示された場合は、ステップＳ２１１にて、記録媒体２００の状態に応じてその起動処理を指示する。記録媒体２００の起動処理についてのシーケンスについては、図５で後述する。
【００４２】
ステップＳ２１１にて、記録媒体２００の起動を指示すると、その記録媒体２００の起動処理の終了を待たず、ステップＳ２０５に進み、表示部１１０により表示がなされていれば表示を終了する。次に、ステップＳ２０６に進み、撮影処理が実行される。すなわち、記録媒体２００の起動処理と撮影処理とが平行して実行されることになる。撮影処理については、図３で後述する。
【００４３】
ステップＳ２０６で、撮影処理が終了すると、ステップＳ２０７に進み、撮影処理にて作成された画像ファイルを記録媒体２００へ記録する記録処理が行われる。記録処理については、図４で後述する。記録処理が終了すると、ステップＳ２０８に進み、省電力タイマをクリアし、所定時間の計測を開始する。
【００４４】
なお、本実施形態のように、記録媒体２００をＵＳＢ接続の外部記録媒体とした場合、記録媒体２００は電源を供給し始めてから書き込み可能な通常モードになるまでに数秒から数１０秒かかる。しかし、各処理はマルチタスク構成の制御として平行して処理されるため、撮影処理は記録媒体２００の起動状態に関係なく繰り返し実行される構成となっている。
【００４５】
次に、ステップＳ２０２で、メニュー操作スイッチ１２１が操作され、表示部１１０への表示が指示された場合は、ステップＳ２０９に進み、表示処理が実行される。表示処理については、図６で後述する。ステップＳ２０９で、表示処理が終了すると、ステップＳ２１０に進み、表示部１１０の状態を確認する。
【００４６】
ステップＳ２１０で、表示部１１０に画像データの再生表示、メニュー項目の表示がなされている状態であれば、ステップＳ２０１に戻り、シーケンスが繰り返される。ステップＳ２１０で、表示部１１０にて表示がなされていない場合は、ステップＳ２０８に進み、省電力タイマをクリアし、所定時間の計測を開始する。
【００４７】
（撮影処理）
次に、図３を参照して、図２のステップＳ２０６の撮影処理について説明する。
【００４８】
メニュー操作スイッチ１２１の操作によりＳＷ１が押され、撮影処理が実行されると、ステップＳ３０１にて、測距回路１１７とレンズ制御回路１０１ａとにより、オートフォーカス制御を行い、フォーカシングレンズを合焦位置に制御する。
【００４９】
次に、ステップＳ３０２では、測光回路１１８を用いて測光動作を行い、設定されている撮影モードに従い、制御するシャッタ制御値と絞り値とを決定する。次に、ステップＳ３０３で、ミラー制御回路１１６に指示し、撮影光路外にクイックリターンミラー１０２を退避させる、いわゆるミラーアップをさせ、ステップＳ３０４で、撮像素子１０４での蓄積を開始する。
【００５０】
次に、ステップＳ３０５で、シャッタ制御回路１１５に指示してシャッタを走行させ、露光が行われる（ステップＳ３０６）。次に、ステップＳ３０７で、シャッタ制御回路１１５に指示してシャッタを閉じ、ステップＳ３０８で、撮像素子１０５の蓄積を終了する。
【００５１】
次に、ステップＳ３０９で、撮像素子１０５から画像信号を読み出し、Ａ／Ｄコンバータ１０６及び画像処理回路１０７で処理した画像データを、メモリ１１３に一時記憶する。そして、撮像素子１０５から全ての画像信号の読み出しを行うと、ステップＳ３１０で、ミラー制御回路１１６に指示してクイックリターンミラー１０２を撮影光路に戻すミラーダウンをさせる。次に、ステップＳ３１１で、画像信号に対して所定の現像処理を施した画像データを作成し、撮影処理を終了する。
【００５２】
（記録処理）
次に、図４を参照して、図２のステップＳ２０７の記録処理について説明する。
【００５３】
まず、ステップＳ４０１では、記録媒体２００が省電力モードからの復帰が完了して記録媒体２００への読み書きが可能である起動処理が完了しているか否か判断する。ステップＳ４０１で起動処理が完了していない場合は、起動処理完了を待つ。ステップＳ４０１で起動処理が完了し通常モードとなると、ステップＳ４０２に進む。ステップＳ４０２では、メモリ１１３に一時記憶されている画像データを記録媒体２００の所定の規則を持ったフォルダ構造の階層下に書き込んで記憶し、記録処理を終了する。
【００５４】
（記録媒体起動処理）
次に、図５を参照して、記録媒体２００を省電力モードから復帰させ、使用可能な通常モードにする記録媒体起動処理（図２のステップＳ２１１）について説明する。
【００５５】
まず、ステップＳ５０１では、記録媒体２００が省電力モード中であるか否かを判断する。ステップＳ５０１で、記録媒体２００が省電力モード中でなければ、既に記録媒体２００は通常モードであり、記録媒体２００への読み書きが可能なマウント処理が完了しているとして、この状態を維持して記録媒体２００の起動処理を終了する。一方、ステップＳ５０１で、記録媒体２００が省電力モード中である場合は、ステップＳ５０２に進み、記録媒体２００への給電を開始し、記録媒体２００の接続の検出を行う（ステップＳ５０３）。
【００５６】
ステップＳ５０３で、記録媒体２００の接続が検出されると、ステップＳ５０４に進み、記録媒体２００への読み書きが可能なように既知マウント処理を行い、記録媒体起動処理を終了する。
【００５７】
このように、本実施形態では、記録処理に先だち、レリーズスイッチ１２０の操作に応じて、記録媒体２００の起動処理の開始を行い、撮影処理と平行して起動処理を行っている。そのため、記録媒体２００への書き込みが必要になった時点で起動処理を行う場合に比べて、書き込み可能になるまでの時間を短縮することが可能である。
【００５８】
（表示処理）
次に、図６を参照して、記録媒体２００に記録されている画像データを読み出して、表示部１１０にて再生する処理や、設定メニュー項目の表示処理（図２のステップＳ２０９）について説明する。メニュー操作スイッチ１２１の再生キー、メニューキーが操作されると表示部１１０への表示処理が行われる。表示部１１０への表示処理とは、画像データの再生や、設定メニュー項目の表示を含む。
【００５９】
まず、ステップＳ６０１では、再生キーが操作されたか否かの判断を行う。ステップＳ６０１で、再生キーの操作であれば、ステップＳ６０２に進み、画像の再生中か否かを判断する。ステップＳ６０２で、画像の再生中でなければ、ステップＳ６０３に進み、記録媒体２００の起動処理を行う。起動処理が完了すると、ステップＳ６０４に進む。
【００６０】
ステップＳ６０４では、画像データを記録媒体２００から画像表示メモリ１１２に読み出し、ステップＳ６０５にて表示制御回路１０９を制御して表示部１１０に画像データの再生表示を行い、画像データの再生を行う。再生が完了すると、再生状態を維持したまま、表示処理を終了する。
【００６１】
ステップＳ６０２にて、画像の再生中であった場合は、ステップＳ６０６に進み、表示部１１０での画像再生を終了して一連の表示処理を終了する。すなわち、画像を表示部１１０にて再生している間は、表示処理が継続されることになる。
【００６２】
次に、ステップＳ６０１で、再生キーが操作されていないと判断した場合は、ステップＳ６０７に進み、メニューキーが操作されたか否かの判断を行う。メニューキーの操作であれば、ステップＳ６０８に進み、メニューの表示中か否かを判断し、メニュー表示中でなければ、ステップＳ６０９に進み、メニュー表示を行う。次に、ステップＳ６１０では、メニュー選択操作に応じて処理を行う。
【００６３】
メニューの選択操作とは、十字キーとセットキーの操作にて所望の項目を選択することが可能で、選択されたメニュー項目に応じた設定処理が実行される。このメニュー項目の中には、記録媒体２００に記録されている画像データに対して、例えば、回転処理やプリントする画像の指定など画像データに対して処理を施すものも用意されている。その場合は、記録媒体２００内のファイルに処理を施すので、記録媒体２００の起動完了を待って処理されることになる。メニュー選択処理が終了すると表示処理を終了する。
【００６４】
ステップＳ６０８にて、メニュー表示中であった場合は、ステップＳ６０６に進み、表示部１１０でのメニュー表示を終了して一連の表示処理を終了する。すなわち、画像を表示部１１０にてメニューを再生している間は、表示処理が継続されることになる。
【００６５】
次に、ステップＳ６０７でメニューキーが操作されていないと判断した場合は、ステップＳ６１１に進み、十字キーが操作されたか否かの判断を行う。十字キーの操作であれば、ステップＳ６１２に進み、画像再生中か否かの判断を行う。画像再生中であればステップＳ６０４に進み、現在、再生表示されている画像の前後いずれかの画像を十字キーの操作に応じて読み出し、画像の再生を行う。
【００６６】
ステップＳ６１２にて画像再生中でないと判断した場合は、ステップＳ６１３に進み、メニュー表示中であるか否かの判断を行う。メニューの表示中であればステップＳ６１０に進み、マイクロコンピュータ１２７はメニュー選択操作の処理を行う。ステップＳ６１１にて十字キーの操作でないと判断した場合は、一連の表示処理を終了する。
【００６７】
このように、本実施形態では、一度表示処理に入ると表示終了操作がされるまで、表示処理が継続される。そして、表示処理が継続している間は、記録媒体２００の省電力モードは停止され、通常モードが継続されることとなる。すなわち、画像の再生が繰り返し行われている場合や、メニュー選択操作が繰り返し行われている場合などは、記録媒体２００が省電力モードに入ることが禁止される。そのため、例えば、十字キーの操作による再生画像の選択操作（Ｓ６１１、Ｓ６１２）のたびに、画像再生、省電力モード、十字キー操作、起動処理完了待ち、画像読み出し、画像再生のような、再生の毎に記録媒体２００の起動処理を待つ必要がない。メニュー選択処理の場合も同様である。
【００６８】
以上説明したように、本実施形態では、記録媒体２００へのアクセスが所定時間ない場合、省電力モードへ移行するように制御している。これにより、効果的にシステム全体の消費電力を抑制することができる。
【００６９】
また、記録媒体２００が省電力モードの場合、撮影動作開始の指示に応じて記録媒体２００の起動処理を行うようにしている。これにより、記録媒体２００の起動が遅いことによる、画像データの記録処理の遅延を防止することができる。
【００７０】
さらに、再生動作開始の指示に応じて記録媒体２００の起動処理を行うようにしている。これにより、記録媒体２００の起動が遅いことによる、記録媒体２００内の画像データの読み出しや、画像データへの変更処理、記録媒体２００へのアクセスなどの遅延を防止することができる。
【００７１】
さらに、表示部１１０の状態に応じて、記録場体２００の省電力モードの起動を制御している。すなわち、表示部１１０にて画像データの表示やメニュー項目の表示を行っている場合には、記録媒体２００へのアクセスの可能性が高いので、省電力モードを停止して通常モードを継続するようにしている。これにより、繰り返し画像を選択表示する場合など、記録媒体２００の起動が遅いことによる、記録媒体２００内の画像データの読み出しや、画像データへの変更処理、記録媒体２００へのアクセスなどの遅延を防止することができる。
【００７２】
このように、本実施形態では、撮影動作、再生動作に応じて記録媒体２００の省電力モードからの起動処理を行っているので、ユーザが省電力操作を意識することなく、自動的に省電力モードに入れることが可能である。従って、通常モードから省電力モードへの制御、省電力モードから通常モードへの制御を適切に行うことにより、デジタルカメラとして消費電力の低減と操作性の向上の両立を図ることができる。
【００７３】
なお、本実施形態では、記録媒体としてＵＳＢ接続のＨＤＤを例示したが、他の接続形態や、他の記録媒体、例えば光ディスク等を用いてもよい。
【００７４】
（第２の実施形態）
次に、図７〜図１１を参照して、本発明の第２の実施形態であるデジタルカメラについて説明する。図７は、本発明の第２の実施形態であるレンズ交換式デジタルカメラの機能ブロック図である。なお、上記第１の実施形態に対して重複又は相当する部分については、図に同一符号を付して説明を省略する。
【００７５】
図７に示すように、本実施形態のデジタルカメラ１００は、上記第１の実施形態に加えて、記録媒体３００をコントロールする制御部１２５、および記録媒体３００と接続を行うコネクタ１２６を備える。記録媒体３００は、本実施形態では、メモリカードとする。記録媒体３００は、半導体メモリから構成される記録媒体部３０３、デジタルカメラ１００とのインタフェースであり、記録媒体部３０３を制御する制御部３０２、デジタルカメラ１００側のコネクタ１２６と接続を行うコネクタ３０１を備えている。
【００７６】
なお、記録媒体３００は、デジタルカメラ１００の筐体内に全体が収容される構成でも、ケーブル等を介してデジタルカメラ１００の筐体の外に接続される構成としてもよいが、本実施形態では、デジタルカメラ１００の筐体内に全体が収容される構成とする。一方、記録媒体２００は、上記第１の実施形態と同様に、デジタルカメラ１００の筐体の外にＵＳＢ接続される外部記録媒体としてのＨＤＤとする。
【００７７】
また、デジタルカメラ１００側の制御部１２３と記録媒体２００側の制御部２０２とはＵＳＢケーブルを介して通信可能、かつ記録媒体２００に給電可能であり、記録媒体２００に対してのみ給電を停止する省電力モードが実施される。
【００７８】
ここで、以下の説明では、記録媒体２００をＨＤＤ２００、記録媒体３００をメモリカード３００と呼ぶ場合がある。また、ユーザは画像データを記録する記録媒体をＨＤＤ２００およびメモリカード３００の中から指定することが可能であり、指定されている記録媒体をカレントメディアと呼ぶ。
【００７９】
ユーザは、画像データを記録する記録媒体を指定するために、指定作業を行う。図８に、記録媒体を指定するメニュー項目を表示部１１０に表示している状態を示す。ユーザは、メモリカード３００をカレントメディアとする「メモリカード」、ＨＤＤ２００をカレントメディアとする「外部記録装置」の選択項目から選択をする。
【００８０】
カレントメディアとして、ＨＤＤ２００を選択する場合について説明する。まず、図８（ａ）の画像データ記録メディアの選択メニューにおいて、「外部記録装置」を選択し、さらに、図８（ｂ）のメニューにおいて、「外部記録装置」に保存する画像データの画質を選択する。画像データの画質としては、画像処理回路１０７にて現像されるＪＰＥＧデータとして、大きさや圧縮率の違う「Ｌ」、「Ｍ」、「Ｓ」、さらに現像処理前の撮像素子１０５の生データである「ＲＡＷ」を指定することができる。
【００８１】
次に、図９〜図１１を参照して、上記構成のデジタルカメラ１００の動作例について説明する。ここで、図９〜図１１の各処理は、所定の記憶領域（ＲＯＭやハードディスク等）に格納された処理プログラムがＲＡＭにロードされて、マイクロコンピュータ１２７のＣＰＵにより実行される。
【００８２】
（メインシーケンス）
図９は、本実施形態におけるデジタルカメラのメインシーケンスを説明するフローチャート図であり、特に撮影から記録、表示処理までの一連の処理と、ＨＤＤ２００の省電力モードのシーケンスについて説明する図である。なお、図９での各処理は、マルチタスク構成で処理される。
【００８３】
まず、ステップＳ１００１では、レリーズスイッチ１２０の半押しでオンとなるＳＷ１が操作され、撮影動作開始が指示されたか否かの判断を行う。ＳＷ１が操作されなければ、ステップＳ１００２に進み、メニュー操作スイッチ１２１が操作され、表示部１１０へ表示が指示されているか否かを判断する。なお、ここでのメニュー操作スイッチ１２１は、再生スイッチを対象とし、その操作を判断する。すなわち、記録媒体内の画像データの再生が指示されたか否かを判断することとする。メニュー操作スイッチ１２１が操作されなければ、ステップＳ１００３に進む。
【００８４】
ステップＳ１００３では、省電力タイマが所定時間経過しているか否かの判断を行う。ここで省電力タイマは、デジタルカメラに対して、レリーズスイッチ１２０、メニュー操作スイッチ１２１などによる操作指示がされない状態で、ＨＤＤ２００へのアクセスがない状態での経過時間を計測する。ステップＳ１００３で、省電力タイマが所定時間経過に満たないと判断した場合には、ステップＳ１００１からのシーケンスが繰り返されることとなる。
【００８５】
一方、ステップＳ１００３で、省電力タイマが所定時間経過したと判断した場合には、ステップＳ１００４に進み、ＨＤＤ２００を省電力モードとする。なお、ＨＤＤ２００がすでに省電力モードになっている場合は、省電力モードを維持する。この省電力モードにおいては、ＨＤＤ２００への給電を停止し、ＨＤＤ２００の動作を停止する。本実施形態では、ＨＤＤ２００の省電力モードはデジタルカメラ１００本体の省電力モードとは独立して動作可能である。すなわち、デジタルカメラ１００が使用されている状態であっても、ＨＤＤ２００のみが省電力モードとなることが可能で、効果的にシステム全体の消費電力を減少させている。
【００８６】
次に、ステップＳ１００１で、レリーズスイッチ１２０の半押しでオンとなるＳＷ１が操作されて、撮影動作開始が指示された場合は、カレントメディアの指定状態を判断（判別）して（Ｓ１０１５）、その判断結果に応じてそのＨＤＤ２００の起動処理を指示する（Ｓ１０１６）。ＨＤＤ２００の起動処理についてのシーケンスについては、上記第１の実施形態と同様であるので説明を省略する。
【００８７】
ステップＳ１０１６にて、ＨＤＤ２００の起動を指示した場合、そのＨＤＤ２００の起動処理の終了を待たず、ステップＳ１００５に進み、表示部１１０により表示がなされていれば表示を停止する。続いて、ステップＳ１００６に進み、撮影処理が実行される。撮影処理については、上記第１の実施形態と同様であるのでここでの説明を省略する。ステップＳ１００６にて、撮影処理が終わるとステップＳ１００７に進み、撮影処理にて作成された画像データを記録媒体２００へ記録する記録処理が行われる。この記録処理については、図１０で後述する。記録処理が終了すると、ステップＳ１００８に進み、省電力タイマをクリアし、所定時間の計測を開始する。
【００８８】
次に、ステップＳ１００２にて、メニュー操作スイッチ１２１が操作され、表示部１１０への表示が指示された場合は、ステップＳ１０１０に進み、表示処理が実行される。表示処理については、図１１で後述する。ステップＳ１０１０にて表示処理が終わると、ステップＳ１０１１に進み、表示部１１０の状態を判定し省電制御する。具体的には、ステップＳ１０１１にて、メニュー表示中であるかを判断する。ステップＳ１０１１で、メニュー表示中であると判断した場合は、ステップＳ１００１に戻る。すなわち、ＨＤＤ２００は、通常モードが維持される。
【００８９】
一方、ステップＳ１０１１で、メニュー表示中でないと判断した場合は、ステップＳ１０１２にて画像再生中であるか否かを判断する。画像再生中であれば、ステップＳ１０１３にてカレントメディアがＨＤＤ２００に指定されているか否かを判断する。カレントメディアがＨＤＤ２００であれば、ステップＳ１００１に戻る。すなわち、画像再生中でかつ、カレントメディアがＨＤＤ２００であれば、ＨＤＤ２００は、通常モードが維持される。画像再生中でない場合（ステップＳ１０１２のＮｏ）、カレントメディアがＨＤＤ２００でない場合（ステップＳ１０１３のＮｏ）は、ステップＳ１０１４に進み、省電力タイマをクリアし、所定時間の計測を開始する。
【００９０】
（記録処理）
次に、図１０を参照して、撮影処理にて作成された画像データの記録媒体への記録処理（図９のステップＳ１００７）について説明する。
【００９１】
まず、ステップＳ１１０１では、カレントメディアがＨＤＤ２００であるか否かを判断する。カレントメディアがＨＤＤ２００であれば、ステップＳ１１０２に進み、ＨＤＤ２００が省電力モードからの復帰が完了して記録媒体への読み書きが可能である起動処理が完了しているか否か判断する。起動処理が完了していない場合は、起動処理完了を待つ。起動処理が完了し通常モードとなると、ステップＳ１１０３に進む。ステップＳ１１０３では、メモリ１１３に一時記憶されている画像データをＨＤＤ２００の所定の規則を持ったフォルダ構造の階層下に記憶して記録処理を終了する。
【００９２】
次に、ステップＳ１１０１で、カレントメディアがＨＤＤ２００でないと判断した場合は、ステップＳ１１０４に進む。ステップＳ１１０４では、メモリ１１３に一時記憶されている画像データをメモリカード３００の所定の規則を持ったフォルダ構造の階層下に記憶して記録処理を終了する。
【００９３】
（表示処理）
次に、図１１を参照して、記録媒体に記録されている画像データを読み出して、表示部１１０にて再生する処理や、設定メニュー項目の表示処理（図９のステップＳ１０１０）について説明する。
【００９４】
まず、ステップＳ１２０１では、メニュー操作スイッチ１２１の再生キーが操作されたか否かの判断を行う。再生キーの操作であればステップＳ１２０２に進み、画像の再生中か否かを判断する。再生中でなければ、ステップＳ１２０３に進み、カレントメディアがＨＤＤ２００であるかを判断する。カレントメディアがメモリカード３００であれば、ステップＳ１２０５に進む。一方、カレントメディアがＨＤＤ２００であれば、ステップＳ１２０４にて、ＨＤＤ２００の起動処理を行い、ＨＤＤ２００を省電力モードからの通常モードへと起動処理を行う。起動処理が完了するとステップＳＳ１２０５に進む。
【００９５】
ステップＳ１２０５では、画像データをカレントメディア（ＨＤＤ２００あればＨＤＤ２００から、メモリカード３００であればメモリカード３００）から画像表示メモリ１１２に読み出す。そして、ステップＳ１２０６では、表示制御回路１０９を制御して表示部１１０に画像データの再生表示を行い、画像データを再生し、再生が完了すると再生状態を維持したまま、表示処理を終了する。また、ステップＳ１２０２で、画像再生中でないと判断した場合は、ステップＳ１２０７に進み、画像再生を終了して、表示処理を終了する。
【００９６】
次に、ステップＳ１２０１で、再生キーが操作されていないと判断した場合は、ステップＳ１２０８に進み、メニューキーが操作されたか否かの判断を行う。メニューキーの操作であれば、ステップＳ１２０９に進み、メニューの表示中か否かを判断する。メニュー表示中でなければ、ＨＤＤ２００の起動を指示する（ステップＳ１２１５）と共に、そのＨＤＤ２００の起動処理の終了を待たず、ステップＳ１２１０に進み、メニュー項目の表示を行う。
【００９７】
続いて、ステップＳ１２１１に進み、メニュー選択操作に応じて処理を行う。ここで、ＨＤＤ２００内のファイルに処理を施す処理であれば、ＨＤＤ２００の起動完了を待って処理されることになる。例えば、この処理とは、メモリカード３００からＨＤＤ２００へ画像データのコピーを行う処理などが考えられ、ＨＤＤがカレントメディアでない場合にも、メニュー操作キーの操作により、ＨＤＤ２００を起動することで、より速く処理を行うことが可能となる。ここで、メニュー選択処理が終了すると、メニュー項目の表示状態を維持したまま、表示処理を終了する。ステップＳ１２０９にて、メニュー項目表示中であった場合は、ステップＳ１２０７に進み、表示部１１０でのメニュー項目表示を終了して表示処理を終了する。
【００９８】
次に、ステップＳ１２０８でメニューキーが操作されていないと判断した場合は、ステップＳ１２１２に進み、十字キーが操作されたか否かの判断を行う。十字キーの操作であれば、ステップＳ１２１３に進み、画像再生中か否かの判断を行う。画像再生中であればステップＳ１２０５に進み、現在、再生表示されている画像の前後いずれかの画像を十字キーの操作に応じて読み出し、画像の再生を行う。
【００９９】
ステップＳ１２１３にて、画像再生中でないと判断した場合は、ステップＳ１２１４に進み、メニュー表示中であるか否かの判断を行う。メニューの表示中であればステップＳ１２１１に進み、メニュー選択操作の処理を行う。ステップＳ１２１２で、十字キーの操作でないと判断した場合は、一連の表示処理を終了する。
【０１００】
このように、本実施形態では、複数の記録媒体が使用される場合、画像データを記録する記録媒体の指定状態を基に、記録媒体の省電力モードの制御を行うようにしている。
【０１０１】
すなわち、ＨＤＤ２００が記録媒体として指定されている場合、再生処理が継続している間は、ＨＤＤ２００の省電力モードは停止され通常モードが継続されることとなる。また、ＨＤＤ２００内の画像データの再生が繰り返し行われている場合や、メニュー選択操作が繰り返し行われている場合などは、記録媒体が省電力モードに入ることが禁止される。そのため、例えば、十字キーの操作による再生画像の選択操作（Ｓ１１１２、Ｓ１１１３、Ｓ１１０５）のたびに、画像再生、省電力モード、十字キー操作、起動処理完了待ち、画像読み出し、画像再生のように、記録媒体の起動処理を待つといった必要がない。メニュー選択処理の場合も同様である。
【０１０２】
また、ＨＤＤ２００が記録媒体として指定されていない場合は、撮影操作がされても記録媒体の省電力モードを継続するようにしている。そのため、不要な処理をすることなく消費電力を節約することが可能となる。
【０１０３】
以上説明したように、本実施形態では、記録媒体の指定状態に応じて、記録媒体２００の省電力制御を行うようにしている。すなわち、ＨＤＤ２００がカレントメディアの場合は、撮影動作開始の指示に応じてＨＤＤ２００の起動処理を行うようにしている。これにより、記録媒体の起動が遅いことによる、画像データの記録処理の遅延を防止することができる。
【０１０４】
また、再生動作開始の指示に応じてＨＤＤ２００の起動処理を行うようにしている。これにより、記録媒体の起動が遅いことによる、ＨＤＤ２００内の画像データの読み出しや、画像データへの変更処理、ＨＤＤ２００へのアクセスなどの遅延を防止することができる。
【０１０５】
さらに、表示部１１０の状態に応じて、ＨＤＤ２００の省電力モードの起動を制御している。すなわち、表示部１１０にて画像データの表示やメニュー項目表示を行っている場合には、ＨＤＤ２００へのアクセスの可能性が高いので、省電力モードを停止して通常モードを継続するようにしている。これにより、繰り返し画像を選択表示する場合など、記録媒体の起動が遅いことによる、ＨＤＤ２００内の画像データの読み出しや、画像データへの変更処理、ＨＤＤ２００へのアクセスなどの遅延を防止することができる。
【０１０６】
さらに、ＨＤＤ２００がカレントメディアでない場合は、撮影動作開始の指示に応じて、ＨＤＤ２００の起動処理を行なわず、省電力モードを継続するようにしている。これにより、不必要な電力を使用することなく、消費電力を低減することができる。
【０１０７】
さらに、再生キー操作による再生動作開始の指示に応じて、ＨＤＤ２００の起動処理を行なわず、省電力モードを継続するようにしている。これにより、不必要な電力を使用することなく消費電力を低減することができる。
【０１０８】
さらに、メニューキー操作による再生動作開始の指示に応じて、ＨＤＤ２００の起動処理を行うようにしている。これにより、ＨＤＤ２００の起動が遅いことによる、ＨＤＤ２００内の画像データの読み出しや、画像データへの変更処理、ＨＤＤ２００へのアクセスなどの遅延を防止することができる。
【０１０９】
さらに、表示部１１０の状態に応じて、ＨＤＤ２００の省電力モードの起動を制御している。すなわち、メニュー操作により表示部１１０にてメニュー項目表示を行っている場合には、ＨＤＤ２００へのアクセスの可能性が高いので、省電力モードを停止して通常モードを継続するようにしている。これにより、繰り返し画像を選択表示する場合など、ＨＤＤの起動が遅いことによる、ＨＤＤ２００内の画像データの読み出しや、画像データへの変更処理、ＨＤＤへのアクセスなどの遅延を防止することができる。
【０１１０】
このように、本実施形態では、記録媒体の指定状態、撮影動作、再生動作に応じて記録媒体の省電力モードからの起動処理を行っているので、ユーザが省電力操作を意識することなく、自動的に省電力モードに入れることが可能である。従って、通常モードから省電力モードへの制御、省電力モードから通常モードへの制御を適切に行うことにより、デジタルカメラとして消費電力の低減と操作性の向上の両立を図ることができる。
【０１１１】
なお、本実施形態では、ＨＤＤのみに省電力モードを使用するように制御しているが、メモリカードの場合にも省電力モードを適用してもよい。
【０１１２】
また、本実施形態では、表示部１１０の状態に応じて、省電力モードを禁止するようにしているが、省電タイマを通常より延長するような制御としてもよい。例えば、省電タイマが５秒であればこれを３０秒に延長するなどの制御が可能である。
【０１１３】
さらに、本実施形態では、外部記録媒体としてＵＳＢ接続のＨＤＤを例示したが、他の接続形態や、他の外部記録媒体、例えば光ディスク等を用いてもよい。
【０１１４】
さらに、本実施形態では、２つの記録媒体の内の１つをカレントメディアとして指定可能にしているが、２つの記録媒体に同時に記録できるようにしてもよく、この場合は、撮影動作に応じていずれの記録媒体も通常モードにするように制御される。
【０１１５】
（第３の実施形態）
次に、図１２および図１３を参照して、本発明の第３の実施形態であるデジタルカメラについて説明する。なお、上記第１の実施形態と重複又は相当する部分について符号を流用して説明する。
【０１１６】
本実施形態のデジタルカメラは、上記第１の実施形態又は第２の実施形態において、記録媒体の省電力モードを使用するか否かを選択する手段を備える。
【０１１７】
図１２は、記録媒体の省電力モードの使用を選択する画面例を示す図であり、表示部１１０に表示され、ユーザによりモードが選択される。
【０１１８】
ここで、選択項目「使用しない」１２０１は、省電力モードを使用しない場合に選択する項目であり、省電力モードは無効となる。この場合、記録媒体は通常モードが維持され、レスポンス優先モードとなる。
【０１１９】
選択項目「省電モード１」１２０２は、省電力モードを使用する場合に選択する項目であり、その制御は、上記第１の実施形態又は上記第２の実施形態において説明した制御となる。
【０１２０】
選択項目「省電モード２」１２０３は、省電力モードを使用する場合に選択する項目であり、その制御は、「省電モード１」よりさらに消費電力を低減する制御を行うモードを選択する項目である。
【０１２１】
次に、図１２の画面で「省電モード２」が選択された場合のデジタルカメラの動作について説明する。
【０１２２】
（メインシーケンス）
図１３は本実施形態におけるデジタルカメラの動作のメインシーケンスを説明するフローチャート図であり、特に撮影から記録、表示処理までの一連の処理と、記録媒体２００の省電力モードのシーケンスについて説明する図である。ここで、図１３の各処理は、所定の記憶領域（ＲＯＭやハードディスク等）に格納された処理プログラムがＲＡＭにロードされて、マイクロコンピュータ１２７のＣＰＵにより実行される。
【０１２３】
まず、ステップＳ１３０１では、レリーズスイッチ１２０の半押しでオンとなるＳＷ１が操作され、撮影動作開始が指示されたか否かの判断を行う。ＳＷ１が操作されなければ、ステップＳ１３０２に進み、メニュー操作スイッチ１２１が操作され、表示部１１０への表示が指示されているか否かを判断する。メニュー操作スイッチ１２１が操作されなければ、ステップＳ１３０３に進む。ステップＳ１３０３では、省電力タイマが所定時間経過しているか否かの判断を行う。ステップＳ１３０３にて省電力タイマが所定時間経過に満たないと判断した場合には、ステップＳ１３０１からのシーケンスが繰り返されることとなる。
【０１２４】
一方、ステップＳ１３０３で省電力タイマが所定時間経過した場合には、ステップＳ１３０４に進み、表示部１１０により表示がなされていれば表示を終了して、ステップＳ１３０５に進み、記録媒体２００を省電力モードとする。なお、記録媒体２００がすでに省電力モードになっている場合は、省電力モードを維持する。この省電力モードにおいては、記録媒体２００への給電を停止し、記録媒体２００の動作を停止する。
【０１２５】
次に、ステップＳ１３０１で、レリーズスイッチ１２０の半押しでオンとなるＳＷ１が操作されて、撮影動作開始が指示された場合は、ステップＳ１３０６に進み、表示部１１０により表示がなされていれば表示を終了する。次に、ステップＳ１３０７に進み、撮影処理が実行される。ステップＳ１３０７にて撮影処理が終わると、ステップＳ１３０８に進み、記録媒体２００の起動処理を行い、記録媒体２００を省電力モードから通常モードへと起動処理を行う。起動処理が完了するとステップＳ１３０９に進み、撮影処理にて作成された画像ファイルを記録媒体２００へ記録する記録処理が行われる。この記録処理については、上記第１の実施形態と同様であるので説明を省略する。記録処理が終了するとステップＳ１３１０に進み、省電力タイマをクリアし、所定時間の計測を開始する。
【０１２６】
次に、ステップＳ１３０２にてメニュー操作スイッチ１２１が操作され、表示部１１０への表示が指示された場合は、ステップＳ１３１１に進み、表示処理が実行される。この表示処理については、上記第１の実施形態と同様であるので説明を省略する。ステップＳ１３１１にて表示処理が終わると、ステップＳ１３１０に進み、省電力タイマをクリアし、所定時間の計測を開始する。以下、ステップＳ１３０１に戻り、シーケンスが繰り返される。
【０１２７】
このように、本実施形態では、「省電モード２」が選択されている場合は、表示部１１０の状態に関係なく、記録媒体２００への読み出し、書き込みが終了したら、省電タイマを起動し、記録媒体２００を省電力モードにするように制御している。従って、ユーザにより消費電電力を低減する手段の選択を可能にすることができる。
【０１２８】
なお、図１３の説明では、上記第１の実施形態と同様に記録媒体が１つの場合について説明したが、これに限定されず、上記第２の実施形態のように複数の記録媒体を使用する場合にも適応可能である。
【０１２９】
以上説明したように、本実施形態では、ユーザにより省電力モードを選択可能に構成している。そのため、省電モードを「使用しない」を選択した場合は、起動の遅い記録媒体であっても、メモリカードと同様な操作性を可能としている。
【０１３０】
また、「省電モード１」を選択した場合は、撮影動作、再生動作に応じて記録媒体の省電力モードからの起動処理を行っているので、ユーザが省電力操作を意識することなく、自動的に省電力モードに入れることが可能である。従って、通常モードから省電力モードへの制御、省電力モードから通常モードへの制御を適切に行うことにより、デジタルカメラとして消費電力の低減と操作性の向上の両立を図ることができる。
【０１３１】
さらに、「省電モード２」を選択した場合は、より一層の消費電力の低減を図ることを可能としている。「省電モード２」を選択した場合、その制御は、撮影動作、再生動作に応じて記録媒体の省電力モードからの起動処理を行っているので、ユーザが省電力操作を意識することなく、自動的に省電力モードに入れることが可能である。従って、通常モードから省電力モードへの制御、省電力モードから通常モードへの制御を適切に行うことにより、デジタルカメラとして消費電力の低減と操作性の向上の両立を図ることができる。
【０１３２】
なお、上記各実施形態では、記録媒体をデジタルカメラに接続可能に構成しているが、デジタルカメラに機能を拡張するアダプタ装置を接続可能に構成し、このアダプタ装置を介して記録媒体に記録するように構成してもよい。
【０１３３】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１３４】
この場合、記憶媒体から読み出されたプログラムコード自体が前述した実施の形態の機能を実現することになり、そのプログラムコード及び該プログラムコードを記憶した記憶媒体は本発明を構成することになる。
【０１３５】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１３６】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１３７】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１３８】
【図１】本発明の第１の実施形態であるレンズ交換式デジタルカメラの機能ブロック図である。
【図２】デジタルカメラ１００の動作のメインシーケンスを説明するためのフローチャート図である。
【図３】図２のステップＳ２０６の撮影処理について説明するためのフローチャート図である。
【図４】図２のステップＳ２０７の記録処理について説明するためのフローチャート図である。
【図５】記録媒体２００を省電力モードから復帰させ、使用可能な通常モードにする記録媒体起動処理（図２のステップＳ２１１）について説明するためのフローチャート図である。
【図６】記録媒体２００に記録されている画像データを読み出して、表示部１１０にて再生する処理や、設定メニュー項目の表示処理（図２のステップＳ２０９）について説明するためのフローチャート図である。
【図７】本発明の第２の実施形態であるレンズ交換式デジタルカメラの機能ブロック図である。
【図８】記録媒体を指定するメニュー項目を表示部１１０に表示している状態を示す図である。
【図９】デジタルカメラ１００の動作のメインシーケンスを説明するためのフローチャート図である。
【図１０】撮影処理にて作成された画像データの記録媒体への記録処理（図９のステップＳ１００７）について説明するためのフローチャート図である。
【図１１】記録媒体２００に記録されている画像データを読み出して、表示部１１０にて再生する処理や、設定メニュー項目の表示処理（図９のステップＳ１０１０）について説明するためのフローチャート図である。
【図１２】本発明の第３の実施形態であるレンズ交換式デジタルカメラを説明するための図であり、省電モード選択の画面例を示す図である。
【図１３】デジタルカメラ１００の動作のメインシーケンスを説明するフローチャート図である。
【符号の説明】
【０１３９】
１００  デジタルカメラ
１０１  撮影レンズユニット
１０２  クイックリターンミラー
１０３  シャッタ
１０４  光学フィルタ
１０５  撮像素子
１０６  Ａ／Ｄ変換器
１０７  画像処理回路
１０８  タイミング発生回路
１０９  表示制御回路
１１０  表示部
１１１  メモリ制御回路
１１２  画像表示メモリ
１１３  メモリ
１１４  圧縮伸長回路
１１５  シャッタ制御回路
１１６  ミラー制御回路
１１７  測距回路
１１８  測光回路
１１９  不揮発性メモリ
１２０  レリーズスイッチ
１２１  メニュー操作スイッチ
１２２  電源制御回路
１２３  制御部（Ｉ／Ｆ）
１２４  コネクタ
１２５  制御部（Ｉ／Ｆ）
１２６  コネクタ
１２７  マイクロコンピュータ
【図１】
2008204546.tif 000003
【図２】
2008204546.tif 000004
【図３】
2008204546.tif 000005
【図４】
2008204546.tif 000006
【図５】
2008204546.tif 000007
【図６】
2008204546.tif 000008
【図７】
2008204546.tif 000009
【図８】
2008204546.tif 000010
【図９】
2008204546.tif 000011
【図１０】
2008204546.tif 000012
【図１１】
2008204546.tif 000013
【図１２】
2008204546.tif 000014
【図１３】
2008204546.tif 000015